(57)【要約】【課題】携帯端末機と網との間で行われる端末機の位置情報を登録するための位置登録手順の終了状態を利用して非接触ＩＣカード機能の利用を制御することのできる非接触ＩＣカード機能搭載した携帯電話端末を提供する。【解決手段】非接触型ＩＣカード機能を搭載した携帯端末機において、網と携帯端末機との位置登録手順で得られる位置登録終了状態を記臆する記憶手段と、位置登録終了状態によって非接触ＩＣカード機能の使用を制御する制御手段とを有する携帯端末機が得られる。【選択図】      図１
2005269116.tif 000002
【特許請求の範囲】
【請求項１】
非接触型ＩＣカード手段を搭載した携帯端末機において、網と携帯端末機との位置登録手順から得られる位置登録終了状態を記臆する記憶手段と、前記位置登録終了状態によって前記非接触ＩＣカード手段の使用を制御する制御手段とを有する携帯端末機。
【請求項２】
前記位置登録終了状態の記憶が電源のオフによって解除されることを特徴とする請求項１記載の携帯端末機。
【請求項３】
前記制御手段は、前期位置登録終了状態が正常終了の場合に前記非接触ＩＣカード手段の使用を可能にすることを特徴とする請求項１又は２記載の携帯端末機。
【請求項４】
前記制御手段は、前期位置登録終了状態が異常終了の場合に前記非接触ＩＣカード手段の使用を拒否することを特徴とする請求項１、２又は３記載の携帯端末機。
【請求項５】
前記制御手段は電源のオンから位置登録終了までは前記非接触ＩＣカード手段の使用を拒否する請求項１、２、３又は４記載の携帯端末機。
【請求項６】
前記携帯端末機が圏外に所在する場合に、前記制御手段は入力される暗証番号が予め登録してある暗証番号と一致する時に前記非接触ＩＣカード手段を使用可能状態にする請求項１、２、３又は４記載の携帯端末機。
【請求項７】
非接触ＩＣカード機能を搭載した携帯端末機において、前記非接触ＩＣカードの機能の使用を網からの情報で規制することを特徴とする非接触ＩＣカード機能を搭載した携帯端末機。
【請求項８】
非接触ＩＣカード機能を搭載した携帯端末機の非接触ＩＣカード機能の不正使用規制方法において、基地局、移動通信交換局等で構成される網の加入者メモリの加入者情報エリアに当該携帯端末機の発信或いは着信規制の登録をし、前記携帯端末機が前記網と行う位置登録の手順における終了状態によって前記携帯端末機に搭載した非接触ＩＣカード機能の使用を制御することを特徴とする非接触ＩＣカード機能の不正使用規制方法。
【発明の詳細な説明】
【技術分野】
【０００１】
本発明は携帯端末機に関し、特に非接触ＩＣカード機能を搭載した携帯端末機の紛失や盗難等の場合におけるＩＣカード機能の不正利用防止に関する。
【背景技術】
【０００２】
携帯電話等の携帯端末は、小型化と多機能化が進み益々携帯性、利便性に優れたものとなってきており、端末の保持者が急速に増えている。端末機の多機能化或いは機能の拡張としてＩＣカード機能を搭載した携帯端末機も提案されている。ＩＣカード機能の搭載は、携帯端末機とカードを別々に携帯しなければならない不便を解消してくれると共に、携帯端末機の機能を利用してカードの情報を閲覧可能とすることができるなどカード利用の利便性の向上も期待できる。
【０００３】
一方、携帯端末機の普及に伴い端末機の置き忘れによる紛失や盗難等による所在不明も増えると考えられる。ＩＣカード機能を搭載した携帯端末機では、端末機の紛失・盗難は、携帯端末機としての端末自体の紛失と共に、ＩＣカード自体の紛失や盗難をも意味し、そのための対策が望まれる。
【０００４】
携帯電話機の紛失や盗難の場合にその電話機の不正利用を禁止するための方法として、紛失した携帯電話機の加入者が加入している通信事業者に届け出て、通信事業者が交換機の加入者メモリのその電話機の加入者情報に発信停士や着信停士を登録し、携帯電話機が不正に利用されるのを禁止する方法がある。
【０００５】
この方法は、携帯電話機能の不正利用を防止することができるが、カード機能の不正利用を防止するものではない。
【０００６】
ＩＣカード機能を搭載した携帯端末機の紛失や盗難によるＩＣカード機能の不正利用を防止する端末機として、特開２００３−１６３９８号公報（特許文献１）は、非接触ＩＣカード部を搭載した携帯端末機のＩＣカード機能を通常使用不能状態としておき、予め登録したカード対応の暗証番号とＩＣカード機能の利用に先立って入力する暗証番号とが一致したときだけ使用不能状態を解除してカード機能を使用できるようにした携帯端末機を提案している。
【０００７】
しかし、特許文献１に開示された携帯端末機は、ＩＣカード機能を通常使用不能状態から、暗証番号の入力によって利用可能状態とするもので、携帯端末機の携帯電話の通信機能と無関係にＩＣカードの不正使用を防止するものである。
【０００８】
【特許文献１】特開２００３−１６３９８号公報
【発明の開示】
【発明が解決しようとする課題】
【０００９】
本発明の目的は、遠隔からの情報によって携帯端末機に搭載された非接触ＩＣカード機能の使用を制御できる非接触ＩＣカード機能を搭載した携帯電話端末機を提供することにある。
【００１０】
本発明は、また、携帯端末機と網との間で行われる端末機の位置情報を登録するための位置登録手順における手順の終了状態を利用してＩＣカード機能の利用を制御することのできる非接触ＩＣカード機能を搭載した携帯電話端末機及び携帯端末機の非接触ＩＣカード機能の不正使用規制方法を提供することにある。
【課題を解決するための手段】
【００１１】
本発明によれば、非接触型ＩＣカード機能を搭載した携帯端末機において、網と携帯端末機との位置登録手順から得られる位置登録終了状態を記臆する記憶手段と、位置登録終了状態によって非接触ＩＣカード機能の使用を制御する制御手段とを有する携帯端末機が得られる。
【００１２】
位置登録終了状態の記憶は電源スイッチのオフによって解除される。
【００１３】
制御手段は、位置登録終了状態が正常終了の場合に非接触ＩＣカード手段の使用を可能にする。
【００１４】
また、制御手段は、前期位置登録終了状態が異常終了の場合に非接触ＩＣカード機能の使用を拒否する。
【００１５】
制御手段は電源のオンから位置登録終了までは前記非接触ＩＣカード機能の使用を拒否する。
【００１６】
携帯端末機が圏外に所在する場合に、制御手段は入力される暗証番号が予め登録してある暗証番号と一致する時にＩＣカード機能を使用可能状態にしてもよい。
【００１７】
また、本発明によれば、非接触ＩＣカード機能を搭載した携帯端末機の非接触ＩＣカード機能の不正使用規制方法において、基地局、移動通信交換局等で構成される網の加入者メモリの加入者情報エリアに当該携帯端末機の発信或いは着信規制の登録をし、前記携帯端末機が前記網と行う位置登録の手順における終了状態によって前記携帯端末機に搭載した非接触ＩＣカード機能の使用を制御することを特徴とする非接触ＩＣカード機能の不正使用規制方法が得られる。
【発明の効果】
【００１８】
本発明は、携帯端末機が基地局、移動通信交換局等で構成される網とで行われる位置登録の手順における終了状態に関係させて、ＩＣカード機能を使用可能状態とし、或いは使用不能状態にするから、携帯端末機が紛失或いは盗難した場合に、交換機の加入者メモリのその端末機に関する加入者情報エリアに携帯端末機の発信或いは着信規制の登録をすることによって、遠隔からカード機能の不正利用を規制することができる。
【００１９】
本発明は、また、携帯端末機が紛失或いは盗難した場合に、交換機の加入者メモリのその端末機に関する加入者情報エリアに携帯端末機の発信或いは着信規制の登録状況によって位置登録手順が正常終了か否かを知り、これを利用するものであるから、カードの不正利用だけでなく携帯端末機の電話機能の不正利用をも防止できる。
【発明を実施するための最良の形態】
【００２０】
次に本発明について図面を参照して説明する。
【００２１】
図１は本発明の一実施例の非接触ＩＣカード機能を搭載した携帯端末機１００のブロック図である。携帯端末機を、携帯電話機や携帯情報端末を含む通信機能を有する端末機を意味する用語として用いる。同図において、１は送信機能、受信機能を担う無線部、２は音声符号化・復号化等信号処理を行う音声信号処理部、３はスピーカなどの受話器、4はマイクなどの送話器、５は液晶デイスプレイ（ＬＣＤ）等の表示部、６は電源スイッチのオンオフやキー入力などを行う操作部、７は電源部、８は制御部、９はメモリ部、そして１０は携帯電話端末機に搭載された非接触ＩＣカード部を示している。
【００２２】
メモリ部９は後に説明する位置登録手順の終了状態を保持するエリアを含む。
【００２３】
制御部８は、制御プログラムにしたがって動作するＣＰＵを含み、無線部１、音声信号処理部２、表示部５、操作部６、メモリ９などの制御と非接触ＩＣカード部等を制御する。非接触ＩＣカード部は、制御部の一部であるＩＣカードインタフェース制御部８１による制御を受ける。
【００２４】
非接触ＩＣカード部１０は、その内部にＣＰＵの他、ＲＯＭ、ＥＥＰＲＯＭ、ＲＡＭなどのメモリ、ＩＣカード機能を利用するためにサービス提供者の端末機と電波を使って情報のやりとりをするためのアンテナ（コイル）等を内蔵している。ＩＣカードの利用者は、ＩＣカード機能を搭載する携帯端末機をサービス提供者の端末機に振りかざし、サービス提供者のリーダ／ライタ端末機２０と交信して所定のサービスを受ける。通常、非接触型のＩＣカードは、リーダライタ端末機に近づけるとアンテナであるコイルに電流が流れ、これを電源としてＩＣチップが動作する。非接触ＩＣカードは、通常、リーダ／ライタ端末機からの電波をエネルギー源とするものであるから、端末機に近接させれば、非接触ＩＣカード自体は、使用可能状態になる。
【００２５】
非接触ＩＣカード部は、例えば定期券情報をそのメモリに予め記憶させて定期券としての利用や、所定のサービスを受けるためにデータを記憶したプリペイドカードとしての利用や、識別情報を記憶したＩＤカードとしての利用など提供を受けるサービスに応じた情報が蓄積されていると共に、リーダ／ライタ端末と通信し、リーダ／ライタ端末に応答しカード情報を読み出し、また、必要に応じて書き込み等を行う。
【００２６】
次に、本発明の実施の形態で使用する位置登録終了状態の情報をメモリに記憶させるまでの動作について、図２のメモリエリアの図及び図３のフローチャートを用いて説明する。電源スイッチをオンすると制御部８は、携帯端末機のハード部分及びメモリの初期化処理を行う（Ｓ２１）。初期化処理によって後に説明する位置登録終了状態保持エリアはクリアされる。初期化処理の後、基地局（図示せず）から電波の届く圏内か電波の届かない圏外かを判定する（Ｓ２２）。圏内の場合、基地局に対し位置登録要求信号を送信する（Ｓ２３）。その後、基地局から送信される認証要求信号を受けると（Ｓ２４）、基地局に対し認証応答信号を送信する（Ｓ２５）。そして基地局から位置登録応答信号を受ける(Ｓ２６)。位置登録応答信号は、通常の場合は、位置登録受付が行われたことを示す正常終了信号である。位置登録応答信号は、網側の交換機の加入者メモリに格納されたその携帯端末機の加入者情報に従って送られる。加入者情報に発信停止や着信停止情報が格納されている場合には、位置登録をせず位置登録拒否信号を送る。したがって、携帯端末機が紛失或いは盗難にあったときには、携帯端末機の加入者は、通信事業者にその携帯端末機の加入者情報に発信停止措置を行うよう依頼し、その措置が行われると、携帯端末機を利用しようとして電源を入れ、位置登録手順が行われた結果として、端末機は位置登録拒否信号を受ける。
【００２７】
制御部８は、位置登録手順の終了状態をメモリ５の位置登録終了状態保持エリア９１に格納する(図２)。位置登録受付信号を受信したときは手順が正常終了であり、メモリに正常終了（“1“）を格納し、状態が正常終了でないときには、異常終了（”０“）を格納する。後仁説明するように、ＩＣカードインタフェース制御部８１は、このようにして格納された終了状態を読み出して非接触ＩＣカード部１０の利用の可否を制御する。
【００２８】
携帯端末機１００が圏外にある場合に非接触ＩＣカードの利用ができるように、圏外の場合には、携帯端末機に暗証番号を入力することによって電波の届かない場所でも非接触ＩＣカードの利用を許してもよい。この場合には、暗証番号を入力し、暗証番号が予め登録してある暗証番号に一致するか否かによってメモリの暗証番号確認状態保持エリア９２に、確認状態を格納する。
【００２９】
暗証番号の確認処理を示す図４を参照すると、携帯端末機に暗証番号の入力があると（Ｓ３１）、予め登録してある暗証番号との一致を確認し（Ｓ３２）、一致する場合は、メモリ部の暗証番号確認状態保持エリア９２に一致として“１”を格納し（Ｓ３３）、不一致の場合には“０”を格納する（Ｓ３５）。ＩＣカードインタフェース制御部８１は、携帯端末機が圏外あり、位置登録が正常終了でない場合にも、暗証番号確認状態保持エリアのデータに基づき、非接触ＩＣカード部１０の利用の可否を制御できる。
【００３０】
図５を参照すると、状態保持エリアの内容は、携帯端末機の電源スイッチをオフすると、状態保持エリア、即ち、メモリ部の位置登録終了状態保持エリア及び暗証番号確認状態保持エリアの情報はクリアされる（Ｓ４１，Ｓ４２）。
【００３１】
また、図６を参照すると、電源スイッチをオフしない場合にも、暗証番号確認状態保持エリアの情報は、暗証番号確認状態が保持されて、所定時間経過したときにはクリアされる。この所定時間は、ユーザによって予め設定できるようにするのがよい。所定時間でのクリアは、暗証番号確認状態を保持したままで紛失や盗難にあって不正使用を防止するために、できるだけ短いほうが望ましいが、非接触ＩＣカード機能の使用のタイミングとの関係で決めるのがよい。なお、上述の暗証番号は非接触ＩＣカード部がリーダ／ライタ端末とやりとりする時の認証用のものではなく、携帯端末機で任意に決めたものである。
【００３２】
次に、ＩＣカード部の使用場面について説明する。非接触ＩＣカード部は、通常、外部のリーダ／ライタ端末機機に非接触ＩＣカードを近づけることによって，ＩＣカードと端末機のリーダ／ライタと無線による相互認証を行ってから取引に入る。したがって、ＩＣカード部とリーダ／ライタとの制御手順において，ＩＣカード部がリーダ／ライタに応答を返す前に、携帯端末機のＩＣカードインタフェース制御部に、ＩＣカードの使用の可否を問合せ，ＩＣカードインタフェース制御部は、メモリ5の位置登録終了状態保持エリア又は暗証番号確認状態保持エリアにアクセスして保持状態を調べその結果を非接触ＩＣカードに送り、リーダ／ライタ端末機に認証要求応答を返すようにする。
【００３３】
図７のシークエンスチャートを用いて、非接触ＩＣカードの使用場面の動作について説明する。
【００３４】
非接触ＩＣカード部１０をリーダ／ライタ端末機２０に近接させると、リーダ／ライタ端末機はカードの存在を検出し（Ｓ７１）、認証要求を発する（Ｓ７２）。非接触ＩＣカード部はこの認証要求信号を受信し、非接触ＩＣカード部とリーダ／ライタ端末機２０との間で予め決めた制御手順で認証手続開始可否の問合せをＩＣカードインタフェース制御部８１に送る（Ｓ６１）。ＩＣカードインタフェース制御部はメモリの状態保持エリアにアクセスしてデータを取得し、認証手続開始可否の判断をして、認証手続開始可否応答を非接触ＩＣカード部に知らせる（Ｓ８０）。非接触ＩＣカード部は、認証手続開始可否応答にしたがって、非接触ＩＣカード部とリーダ／ライタ端末機で予め定めた認証に関する情報を含む認証要求応答をリーダ／ライタ端末機２０に送信する（Ｓ６２）。認証要求応答は,ＩＣカードインタフェース制御部が認証手続開始を可とするものである場合には、通常、非接触ＩＣカードとリーダ／ライタ端末機との間で取決められた認証に関するデータを返す。認証手続開始が拒否の場合には、認証データとは異なるデータを送る。認証応答を受けたリーダ／ライタ端末機は、認証応答が認証データである場合に（Ｓ７３）、非接触ＩＣカードとの取引に入る（Ｓ７４）。
【００３５】
図８を参照して、図７におけるステップ８０の内容、即ち、ＩＣカードインタフェース制御部８１が、認証可否の問合せを受けた時の動作について少し詳しく説明する。ＩＣカードインタフェース制御部は、メモリの状態保持エリアにアクセスする（Ｓ８１）。まず、位置登録終了状態保持エリアにアクセスし、保持エリアが正常終了（“１”）の状態かどうかを判定する（Ｓ８２）。正常終了であれば、認証手続開始許可の応答を返す。保持エリアが正常終了でない場合（“０”）には、暗証番号確認状態保持エリアの内容を調べ、暗証番号確認状態保持エリアのデータがＩＤの一致を示すもの（“１”）であるかどうかを判定する（Ｓ８４）。一致を示すものであれば、認証手続開始許可を、不一致を示すもの（“０”）であれば認証手続拒否の指示を非接触ＩＣカード部へ送る。
【００３６】
したがって、ＩＣカードの使用は、網と携帯端末機の間で行われる位置登録手順が正常終了であれば、非接触ＩＣカードは使用でき、正常終了で無い場合には、暗証番号の一致の確認が取れない限り、使用できなくすることができるので、携帯端末機が盗難や紛失した時に、交換機の加入者メモリにおける当該携帯端末機の加入者情報に発信停止などの規制を登録しておけば、携帯端末機を使用しようとして、或いはＩＣカードを使用しようとして、携帯端末機の電源スイッチをオンして位置登録手順が網との間で開始されても正常終了とはならず、したがって、ＩＣカードの不正使用は規制される。
【００３７】
上記実施の形態では、非接触ＩＣカードを利用する局面で、リーダ／ライタからの認証要求の際に、非接触ＩＣカードインタフェース制御部に問合せる構成であったが、非接触ＩＣカードは、リーダ／ライタ端末機からの電波をエネルギー源とするものであるから、端末機に近接させれば非接触ＩＣカード自体は、通常、使用可能状態になるので、位置登録終了状態保持エリアのデータに基づき正常終了及び異常終了で各々ＩＣカードをデイスエブル（disabling）及びイネブル(enabling)状態にするようにしてもよい。この場合には、リーダ／ライタ端末機から認証要求をＩＣカード部が受けた時も，ＩＣカードインタフェース制御部に問合せることなく、通常の非接触ＩＣカードと同じように動作させることができる。
【００３８】
上記実施形態では、位置登録終了状態が正常終了でない場合にも、暗証番号を入力して,非接触ＩＣカードの使用を許す場合について説明したが、位置登録終了状態が正常終了でない限り、非接触ＩＣカードの使用を許さないようにしてもよい。この場合には、図８において、Ｓ８４のステップの代わりに，Ｓ８２のステップでＮＯの場合にはステップＳ８５へ進む処理を行う。
【００３９】
上述のように、本発明では、暗証番号で非接触ＩＣカードの使用を許す場合を別にすれば、位置登録終了状態が正常終了の時に非接触ＩＣカードの利用を許すものであるから、携帯端末機の電源オンから位置登録終了までを非接触ＩＣカード機能の利用ができない状態にすることができる。
【図面の簡単な説明】
【００４０】
【図１】本発明の実施の形態を示すブロック図である。
【図２】本発明の実施の形態におけるメモリの状態を示す図である。
【図３】本発明の実施の形態おける制御部の動作の１つである位置登録手順と終了状態のメモリの保持エリアへの格納を示すフローチャートである。
【図４】本発明の実施の形態における暗証番号確認状態を格納するための制御を示すフローチャートである。
【図５】電源オフの場合における状態保持エリアのクリア処理の動作を示すフローチャートである。
【図６】暗証番号確認状態保持エリアのクリア処理動作の１つを示すフローチャートである。
【図７】本発明の実施例におけるＩＣカードインタフェース制御部、ＩＣカード部、リーダ／ライタ端末機との相互のやりとりを示すシークエンスチャートである。
【図８】図７におけるＩＣカードインタフェース制御部の動作を説明するフローチャートである。
【符号の説明】
【００４１】
１    無線部
２    音声信号処理部
５    表示部
６    操作部
８    制御部
９    メモリ部
１０    非接触ＩＣカード部
２０    リーダ／ライタ端末機
８１    ＩＣカードインタフェース制御部
９０    状態保持エリア
９１    位置登録終了状態保持エリア
９２    暗証番号確認状態保持エリア
【図１】
2005269116.tif 000003
【図２】
2005269116.tif 000004
【図３】
2005269116.tif 000005
【図４】
2005269116.tif 000006
【図５】
2005269116.tif 000007
【図６】
2005269116.tif 000008
【図７】
2005269116.tif 000009
【図８】
2005269116.tif 000010